(57)【特許請求の範囲】
【請求項１】
記録媒体に録画されている番組の録画データを読み取る読取手段と、
前記読取手段が読み取った録画データに基づく再生信号を出力する再生手段と、を備えた再生装置において、
前記再生手段による番組の再生中にシーン飛ばしの要求が入力されたときに、その時点における再生位置から再生方向に最も近いシーンの変化位置を検出するシーン変化位置検出手段と、
前記再生手段における再生位置を、前記シーン変化位置検出手段により検出されたシーンの変化位置にスキップさせるシーン飛ばし手段と、を備え、
前記シーン変化位置検出手段は、録画データにおける映像のビットレートの変化に基づいてシーンの変化位置を仮検出し、ここで仮検出したシーンの変化位置から再生方向に所定時間の間にブラックフレームの映像が存在しなければ、今回仮検出したシーンの変化位置を、再生方向に最も近いシーンの変化位置として検出し、反対に、仮検出したシーンの変化位置から再生方向に所定時間の間にブラックフレームの映像が存在すれば、このブラックフレームの次の映像をシーンの変化位置として再度仮検出する処理を、再度仮検出したシーンの変化位置から再生方向に所定時間の間にブラックフレームの映像が存在しないシーンの変化位置が仮検出されるまで繰り返し、最後に仮検出したシーンの変化位置を、再生方向に最も近いシーンの変化位置として検出する手段であり、
前記シーン飛ばし手段は、前記シーン飛ばしの要求が入力されたときに、前記再生手段による早送り再生を開始し、再生位置が前記シーン変化位置検出手段により検出されたシーン変化位置に達したときに、前記再生手段による早送り再生を停止し、通常の再生に戻す手段である再生装置。
【請求項２】
記録媒体に録画されている番組の録画データを読み取る読取手段と、
前記読取手段が読み取った録画データに基づく再生信号を出力する再生手段と、を備えた再生装置において、
前記再生手段による番組の再生中にシーン飛ばしの要求が入力されたときに、その時点における再生位置から再生方向に最も近いシーンの変化位置を検出するシーン変化位置検出手段と、
前記再生手段における再生位置を、前記シーン変化位置検出手段により検出されたシーンの変化位置にスキップさせるシーン飛ばし手段と、を備え、
前記シーン変化位置検出手段は、録画データにおける映像のビットレートの変化に基づいてシーンの変化位置を仮検出し、ここで仮検出したシーンの変化位置から再生方向に所定時間の間にブラックフレームの映像が存在しなければ、今回仮検出したシーンの変化位置を、再生方向に最も近いシーンの変化位置として検出し、反対に、仮検出したシーンの変化位置から再生方向に所定時間の間にブラックフレームの映像が存在すれば、このブラックフレームの次の映像をシーンの変化位置として再度仮検出する処理を、再度仮検出したシーンの変化位置から再生方向に所定時間の間にブラックフレームの映像が存在しないシーンの変化位置が仮検出されるまで繰り返し、最後に仮検出したシーンの変化位置を、再生方向に最も近いシーンの変化位置として検出する手段である再生装置。
【発明の詳細な説明】
【技術分野】
【０００１】
この発明は、ＤＶＤやハードディスク等の記録媒体に録画されている番組の録画データを読み取り、この録画データに基づいて番組を再生する再生装置に関する。
【背景技術】
【０００２】
従来、ＤＶＤやＨＤ（ハードディスク）等の記録媒体に録画されている番組を再生する再生装置が実用化され、広く一般に普及している。この種の再生装置は、記録媒体に録画されている番組の途中に挿入されているコマーシャルメッセージ（以下、ＣＭと言う。）をスキップして再生するＣＭスキップ機能を有するものがある（例えば、特許文献１参照）。このＣＭスキップ機能は、記録媒体に録画されている番組の再生中に、ＣＭスキップにかかる入力操作がユーザにより行われると、番組の再生を通常の再生から、早送り再生に切り換え、再生位置がＣＭから番組本編に切り換わる位置に達したところで、早送り再生を停止し、通常の再生に戻す機能である。したがって、ユーザは、記録媒体に録画されている番組の再生位置がＣＭ部分になったときに、ＣＭスキップにかかる入力操作を行うことで、番組本編の間に挿入されているＣＭをスキップ（早送り再生）させることができる。
【０００３】
また、特許文献１では、米国や欧州におけるテレビ放送に対応させたＣＭスキップ機能が提案されている。具体的に言うと、米国や欧州におけるテレビ放送では、ＣＭとＣＭとの間やＣＭと番組本編との間に、ブラックフレーム（所謂、黒画面）が数フレーム挿入されている。また、ＣＭから番組本編に切り換わる位置に挿入されているブラックフレームのフレーム数が、ＣＭとＣＭとの間に挿入されているブラックフレームのフレーム数よりも多い。特許文献１は、ＣＭスキップにかかる入力操作が行われると、通常の再生から早送り再生に切り換え、ＣＭから番組本編に切り換わる位置に挿入されているブラックフレームを検出する。このＣＭから番組本編に切り換わる位置に挿入されているブラックフレームの検出では、まずブラックフレームを検出し、挿入されているブラックフレームのフレーム数が予め定められたフレーム数（ＣＭとＣＭとの間に挿入されているブラックフレームのフレーム数）よりも多いかどうかを判定し、多ければ、このブラックフレームをＣＭから番組本編に切り換わる位置に挿入されているブラックフレームとして検出する。一方、挿入されているブラックフレームのフレーム数が予め定められたフレーム数よりも少なければ、ＣＭとＣＭとの間に挿入されているブラックフレームであると判定し、さらに再生方向にＣＭから番組本編に切り換わる位置に挿入されているブラックフレームの検出を継続する。そして、ここで検出したＣＭから番組本編に切り換わる位置に挿入されているブラックフレームの位置で、早送り再生を停止し、通常の再生に戻す構成である。
【０００４】
また、従来、所望の再生位置をマーク位置として予め設定することにより、このマーク位置から再生を開始することができるマーク設定機能を有する再生装置も提案されている（例えば、特許文献２参照）。特許文献２は、早送り再生中にマーク位置の設定にかかる入力があると、このマーク位置の設定にかかる入力があった時点における再生位置から巻き戻し側にある最も近いシーンの変化位置を検出し、ここで検出したシーンの変化位置をマーク位置として設定する構成である。すなわち、特許文献２は、簡単な操作で、マーク位置を確実にシーンの変化位置に設定することができる構成である。また、映像のビットレートがシーンで異なることを利用し、映像のビットレートの変化が予め定めた値よりも大きい場所を、シーンの変化位置として検出する構成である。
【特許文献１】特開平９−３０７８４１号公報
【特許文献２】特開２００４−３５６７９３号公報
【発明の開示】
【発明が解決しようとする課題】
【０００５】
しかしながら、上述したＣＭスキップ機能は、ＣＭ部分を早送り再生によりスキップさせることはできるが、再生位置を次のシーンの開始位置にスキップさせること（所謂、シーン飛ばし）ができなかった。例えば、従来の再生装置では、ユーザが現在再生中の会話シーンを飛ばし、この会話シーンの次のアクションシーンを視聴したいと思ったときには、早送り再生にかかる入力操作を行い、アクションシーンの開始位置に達したところで、早送り再生を停止し、通常の再生に戻す入力操作を行わなければならなかった。すなわち、ユーザは、早送り再生を開始させるための入力操作、および早送り再生を停止し、通常の再生に戻すための入力操作を行わなければならない。また、早送り再生を停止し、通常の再生に戻す入力操作を、次のシーンの開始位置にピッタリと合わせることは難しく、所望のシーンの開始位置の少し前や、少し後ろで通常の再生に戻して再生することになる。
【０００６】
また、特許文献２に記載されているマーク設定機能を有する再生装置であれば、記録媒体に録画している番組について、各シーンの開始位置をマーク位置として設定することで、シーン飛ばしが行えるようになり、上述した問題を解消することはできる。しかし、この構成では、ユーザが事前に各シーンの開始位置をマーク位置として設定する設定操作を行わなければならない。また、各シーンの開始位置に対してマーク位置を設定する操作は、ユーザにとって煩雑な操作である。
【０００７】
このように、従来の再生装置は、シーン飛ばしについて、ユーザの使い勝手が十分に向上されていないという問題があった。
【０００８】
この発明の目的は、現在再生中のシーンを飛ばして、次のシーンの開始位置から再生させるシーン飛ばしにかかるユーザの使い勝手を向上させた再生装置を提供することにある。
【課題を解決するための手段】
【０００９】
この発明の再生装置は、上記課題を解決するために以下の構成を備えている。
【００１０】
（１）記録媒体に録画されている番組の録画データを読み取る読取手段と、
前記読取手段が読み取った録画データに基づく再生信号を出力する再生手段と、を備えた再生装置において、
前記再生手段による番組の再生中にシーン飛ばしの要求が入力されたときに、その時点における再生位置から再生方向に最も近いシーンの変化位置を検出するシーン変化位置検出手段と、
前記再生手段における再生位置を、前記シーン変化位置検出手段により検出されたシーンの変化位置にスキップさせるシーン飛ばし手段と、を備え、
前記シーン変化位置検出手段は、録画データにおける映像のビットレートの変化に基づいてシーンの変化位置を検出する手段である。
【００１１】
この構成では、読取手段がＤＶＤやＨＤ（ハードディスク）等の記録媒体に録画されている番組の録画データを読み取る。再生手段が、読取手段により記録媒体から読み取った録画データに基づく再生信号（再生映像信号や再生音声信号）を出力する。再生映像信号は接続されている表示装置に入力され、再生音声信号は接続されているスピーカに入力される。録画されている番組の映像は、この表示装置で表示され、音声はスピーカから出力される。
【００１２】
また、記録媒体に録画されている番組の再生中に、装置本体に対してシーン飛ばしの要求が入力されると、シーン変化位置検出手段が、その時点における再生位置から再生方向に最も近いシーンの変化位置、すなわちこの時点で再生しているシーンの、次のシーンの開始位置、を検出する。同じ番組でも、会話シーン、アクションシーン等、シーンによって映像のビットレートが異なっている。すなわち、シーン飛ばしの要求が入力されたときの再生位置から再生方向において、映像のビットレートがある程度変化する最初の位置を検出することで、シーン飛ばしの要求が入力されたときに再生していたシーンの次のシーンの開始位置を検出することができる。そして、シーン飛ばし手段により、再生位置がシーン変化位置検出手段により検出されたシーンの変化位置にスキップさせられる。
【００１３】
したがって、ユーザは、番組の各シーンの開始位置をマーク位置として設定することなく、シーン飛ばしの要求の入力にかかる入力操作を行うだけで、現在再生中のシーンを飛ばして、次のシーンの開始位置から視聴することができる。これにより、現在再生中のシーンを飛ばして、次のシーンの開始位置から再生させるシーン飛ばしにかかるユーザの使い勝手を十分に向上させることができる。
【００１４】
（２）前記シーン変化位置検出手段は、録画データにおける映像のビットレートの変化に基づいてシーンの変化位置を仮検出し、ここで仮検出したシーンの変化位置から再生方向に所定時間の間にブラックフレームの映像が存在しなければ、今回仮検出したシーンの変化位置を、再生方向に最も近いシーンの変化位置として検出し、反対に、仮検出したシーンの変化位置から再生方向に所定時間の間にブラックフレームの映像が存在すれば、このブラックフレームの次の映像をシーンの変化位置として再度仮検出する処理を、再度仮検出したシーンの変化位置から再生方向に所定時間の間にブラックフレームの映像が存在しないシーンの変化位置が仮検出されるまで繰り返し、最後に仮検出したシーンの変化位置を、再生方向に最も近いシーンの変化位置として検出する手段である。
【００１５】
この構成では、シーン飛ばしの要求が入力されたときの再生位置から再生方向において、映像のビットレートが、ある程度変化する位置をシーンの変化位置として仮検出し、この仮検出したシーンの変化位置から再生方向に所定時間の間にブラックフレームの映像が存在しなければ、今回仮検出したシーンの変化位置を、その時点（シーン飛ばしの要求が入力された時点）における再生位置から再生方向に最も近いシーンの変化位置として検出する。一方、今回仮検出したシーンの変化位置から再生方向に所定時間の間にブラックフレームの映像が存在すると、このブラックフレームの次の映像を再度シーンの変化位置として仮検出する処理を、再度仮検出したシーンの変化位置から再生方向に所定時間の間にブラックフレームの映像が存在しないと判定するまで繰り返し、最後に仮検出したシーンの変化位置をその時点（シーン飛ばしの要求が入力された時点）における再生位置から再生方向に最も近いシーンの変化位置として検出する。
【００１６】
米国や欧州におけるテレビ放送では、ＣＭとＣＭとの間やＣＭと番組本編との間に、ブラックフレーム（所謂、黒画面）が数フレーム挿入されている。記録媒体に録画されている番組が、ＣＭとＣＭとの間やＣＭと番組本編との間に、ブラックフレームが挿入されている番組であれば、ＣＭの開始位置をシーンの変化位置として検出することがない。したがって、ユーザは、ＣＭや、ＣＭの直前のシーンが再生されているときに、シーン飛ばしの要求の入力にかかる入力操作を行うこと、ＣＭをスキップさせることもできる。また、シーン飛ばしと、ＣＭスキップとにかかるユーザの入力操作が同じであるので、ユーザを惑わせることがなく、ユーザの使い勝手を一層向上させることができる。
【００１７】
（３）前記シーン飛ばし手段は、前記シーン飛ばしの要求が入力されたときに、前記再生手段による早送り再生を開始し、再生位置が前記シーン変化位置検出手段により検出されたシーン変化位置に達したときに、前記再生手段による早送り再生を停止し、通常の再生に戻す手段である。
【００１８】
この構成では、シーン飛ばしの要求が入力されたときの再生位置から、次のシーンの開始位置までが、早送り再生されるので、この間の映像をユーザに見せることができる。
【発明の効果】
【００１９】
この発明によれば、ユーザは、番組の各シーンの開始位置をマーク位置として設定することなく、シーン飛ばしの要求の入力にかかる入力操作を行うだけで、現在再生中のシーンを飛ばして、次のシーンから視聴することができる。すなわち、現在再生中のシーンを飛ばして、次のシーンの開始位置から再生させるシーン飛ばしにかかるユーザの使い勝手を十分に向上させることができる。
【００２０】
また、記録媒体に録画されている番組が、ＣＭとＣＭとの間やＣＭと番組本編との間に、ブラックフレームが挿入されている番組であれば、ＣＭ飛ばしも行える。
【発明を実施するための最良の形態】
【００２１】
以下、この発明の実施形態である再生装置について説明する。
【００２２】
図１は、この発明の実施形態である再生装置の主要部の構成を示すブロック図である。この実施形態の再生装置１は、ＤＶＤ１０に録画されている番組を再生する。再生装置１は、装置本体の動作を制御する制御部２と、装置本体にセットされているＤＶＤ１０に録画されている番組の録画データを読み取る読取部３と、読取部３が読み取った録画データを映像データと、音声データとに分離する分離部４と、分離部４で分離された映像データを処理する映像データ処理部５と、映像データ処理部５で処理された映像データに基づく映像信号を出力する映像出力部６と、分離部４で分離された音声データを処理する音声データ処理部７と、音声データ処理部７で処理された音声データに基づく音声信号を出力する音声出力部８と、装置本体に対する入力を受け付ける操作部９と、を備えている。制御装置２は、装置本体の各部に対して動作を指示する。読取部３は、ＤＶＤ１０に録画されている番組の録画データを読み取る、公知のピックアップヘッドを有している。ＤＶＤ１０には、ＭＰＥＧ２等でエンコードされたシステムストリームにより、番組が録画されている。また、読取部３は、ピックアップヘッドからＤＶＤ１０に照射するレーザ光をＤＶＤ１０の記録面に集光するフォーカス制御や、レーザ光の照射位置をＤＶＤ１０のトラックの中心に制御するトラッキング制御を行うサーボ制御部を有している。サーボ制御部における、フォーカス制御やトラッキング制御については周知であるので、ここでは説明を省略する。
【００２３】
読取部３は、ＤＶＤ１０から読み取った録画データを分離部４に入力する。この録画データは、番組の映像データ、および音声データを所定の単位でパケット化し、これらを多重化したシステムストリームである。分離部４は、読取部３から入力されたシステムストリームを処理し、映像データと、音声データとに分離する。分離部４は、システムストリームから分離した映像データを映像データ処理部５に入力し、音声データを音声データ処理部７に入力する。映像データ処理部５は、分離部４から入力された映像データをデコードする。また、映像データ処理部５は、映像データのビットレートを検出する機能を有している。映像データのビットレートは、例えば単位時間（１秒）当たりの再生映像にかかる映像データのデータ量から得る構成としてもよいし、１ＧＯＰ（Ｇｒｏｕｐ  Ｏｆ  Ｐｉｃｔｕｒｅ）における再生時間とデータ量とから得る構成としてもよい。映像データ処理部５は、デコードした映像データを映像出力部６に入力する。また、検出した映像データのビットレートを制御部２に通知する。
【００２４】
また、音声データ処理部７は、分離部４から入力された音声データをデコードする。音声データ処理部７は、デコードした音声データを音声出力部８に入力する。映像出力部６は、映像データ処理部５でデコードされた映像データに基づく映像信号を出力する。映像出力部６には、テレビ受像機等の表示装置（不図示）が接続されている。表示装置は、映像出力部６から入力された映像信号に応じた映像を表示する。また、音声出力部８は、音声データ処理部７でデコードされた音声データに基づく音声信号を出力する。音声出力部８には、スピーカ（不図示）が接続されている。スピーカは、音声出力部８から入力された音声信号に応じた音声を出力する。操作部９には、装置本体に対して入力操作を行う操作キーが設けられているとともに、図示していないリモコン装置から送信されてきた装置本体に対する制御信号を受信するリモコン受信部が設けられている。ユーザは、操作部９に設けられている操作キー、または図示していないリモコン装置の操作キーを操作することにより、装置本体に対する入力操作を行う。
【００２５】
また、ＤＶＤ１０に録画されている番組は、会話シーン、アクションシーン等のシーンによって、映像のビットレートが異なっている。例えば、図２（Ａ）に示すように、シーンＡ、シーンＢ、シーンＣの３つのシーンがこの順に連続している番組において、シーンＡにおける映像のビットレートがａ［ｂｉｔ／ｓ］、シーンＢにおける映像のビットレートがｂ［ｂｉｔ／ｓ］、シーンＣにおける映像のビットレートがｃ［ｂｉｔ／ｓ］で、ＤＶＤ１０に録画されている。シーン間における映像のビットレートは、小さいところでも数ｋｂｉｔ／ｓ、例えば５ｋｂｉｔ／ｓ、異なっている。また、シーンと、シーンと、の間にブラックフレームが挿入されていることもある。さらに、米国や欧州におけるテレビ放送では、図２（Ｂ）に示すように、ＣＭとＣＭとの間やＣＭと番組本編との間に、ブラックフレームが数フレーム挿入されている。図２（Ｂ）は、番組本編の間に３本のＣＭ（ＣＭ１、ＣＭ２、ＣＭ３）が挿入されている例を示している。言うまでなく、ＣＭとＣＭとの間やＣＭと番組本編との間に、ブラックフレームが挿入されている番組を録画したときには、ＤＶＤ１０にもこれらのブラックフレームやＣＭが録画される。
【００２６】
さらに、この実施形態の再生装置１は、ＤＶＤ１０に録画されている番組を再生しているとき、再生位置をその時点で再生しているシーンの次のシーンの開始位置にスキップさせるシーン飛ばし機能、および再生位置をその時点で再生しているシーンの開始位置にスキップさせるシーン戻し機能を有している。シーン飛ばし機能は、例えば図２（Ａ）示すシーンＡの再生中に、シーン飛ばしにかかる要求が入力されると、再生位置をシーンＢの開始位置にスキップさせる機能である。また、図２（Ｂ）に示すＣＭ１の再生中や、ＣＭ１の直前の番組本編の再生中に、シーン飛ばしにかかる要求が入力されると、再生位置をＣＭ３の後の番組本編の開始位置にスキップさせる機能であり、従来のＣＭスキップ機能と同様に、番組本編の途中に挿入されているＣＭをスキップさせることができる。また、シーン戻し機能は、例えば図２（Ａ）に示すシーンＡを再生中に、シーン戻しにかかる要求が入力されると、再生位置をシーンＡの開始位置にスキップさせる機能である。また、図２（Ｂ）に示すＣＭ１の再生中に、シーン戻しにかかる要求が入力されると、再生位置をＣＭ１の開始位置にスキップさせる機能である。
【００２７】
操作部９や、図示していないリモコン装置には、シーン飛ばしにかかる要求を入力するときに操作するシーン飛ばしキー、およびシーン戻しにかかる要求を入力するときに操作するシーン戻しキーが設けられている。ユーザは、このシーン飛ばし機能を利用することで、現在再生中のシーンを飛ばして次のシーンを視聴することや、ＣＭをスキップさせることができる。また、シーン戻し機能を利用することで、現在再生中のシーンやＣＭを最初から視聴し直すことができる。
【００２８】
以下、この発明の実施形態である再生装置１の動作について説明する。この実施形態の再生装置１は、再生開始にかかる入力操作が行われると、本体にセットされているＤＶＤ１０に録画されている番組を再生する再生処理を開始する。図３は、この実施形態の再生装置における再生処理を示すフローチャートである。再生装置１は、今回再生することが指定された番組（ＤＶＤ１０に録画されている番組）の再生を開始する（ｓ１）。ｓ１では、読取部３がＤＶＤ１０から今回指定された番組の録画データの読み取りを開始する。また、読取部３がＤＶＤ１０から読み取った番組の録画データを、分離部４において映像データと音声データに分離する処理を開始する。分離部４は、分離した映像データを映像データ処理部５に入力するとともに、音声データを音声データ処理部７に入力する。映像データ処理部５に入力される映像データ、および音声データ処理部７に入力される音声データは、エンコードされたデータである。映像データ処理部５は、分離部４から入力された映像データをデコードし、デコードした映像データを映像出力部６に入力する。また、映像データ処理部５は、デコードした映像データのビットレートを検出し、これを制御部２に通知する処理を開始する。音声データ処理部７は、分離部４から入力された音声データをデコードし、デコードした音声データを音声出力部８に入力する。映像出力部６は、映像データ処理部５でデコードされた映像データに基づく映像信号を出力する。音声出力部８は、音声データ処理部７でデコードされた音声データに基づく音声信号を出力する。映像出力部６および音声出力部８は、同期をとって映像信号および音声信号を出力する。これにより、読取部３がＤＶＤ１０から録画データを読み取った番組の映像が映像出力部６に接続されている表示装置で表示され、この番組の音声が音声出力部８に接続されているスピーカから出力される。
【００２９】
再生装置１は、ｓ１で番組の再生を開始すると、この番組の再生が完了するか（ｓ２）、または装置本体に対して何らかの入力があるのを待つ（ｓ３）。ｓ２では、今回再生を開始した番組を最後まで再生したときに、この番組の再生が完了したと判定する。再生装置１は、ｓ２で番組の再生が完了したと判定すると、ｓ１で開始した番組の再生を停止し（ｓ４）、本処理を終了する。一方、再生装置１は、ｓ３で装置本体に対して何らかの入力があったと判定すると、その入力が再生の終了であれば（ｓ５）、ｓ４でこの番組の再生を停止し、本処理を終了する。
【００３０】
また、再生装置１は、装置本体に対する今回の入力がシーン飛ばしにかかる要求の入力であると判定すると、後述するシーン飛ばし処理を行い（ｓ６、ｓ７）、ｓ２に戻る。また、再生装置１は、装置本体に対する今回の入力がシーン戻しにかかる要求の入力であると判定すると、後述するシーン戻し処理を行い（ｓ８、ｓ９）、ｓ２に戻る。さらに、再生装置１は、装置本体に対する今回の入力が上記以外の入力であると判定すると、その入力に応じた処理（その他の処理）、例えば再生の一時停止にかかる処理、を実行し（ｓ１０）、ｓ２に戻る。シーン飛ばしにかかる要求の入力は、操作部９、またはリモコン装置のシーン飛ばしキーを操作することにより行える。また、シーン戻しにかかる要求の入力は、操作部９、またはリモコン装置のシーン戻しキーを操作することにより行える。
【００３１】
次に、ｓ７にかかるシーン飛ばし処理について説明する。ユーザは、その時点で再生されているシーンを飛ばして次のシーンを視聴したいときや、その時点で再生されているＣＭを飛ばして、番組本編を視聴したいときに、操作部９、またはリモコン装置のシーン飛ばしキーを操作し、このシーン飛ばし処理を実行させる。図４は、この発明の実施形態である再生装置におけるシーン飛ばし処理を示すフローチャートである。再生装置１は、この時点における再生位置、すなわちシーン飛ばしにかかる要求の入力があったときの再生位置、において早送り再生を開始する（ｓ２１）。この早送り再生では、音声出力部８からの音声信号の出力を停止させる。また、映像のフレームを間引いて映像出力部６から出力することで、早送り再生が行われている期間の映像を表示装置に表示させる。
【００３２】
再生装置１は、シーン飛ばしにかかる入力が行われたときのＤＶＤ１０の再生位置から、再生方向における映像のビットレートが予め定めた値よりも変化する位置をシーン変化位置として仮検出する（ｓ２２）。ｓ２２では、映像のビットレートの差分の絶対値が予め定めた値、例えば５ｋｂｉｔ／ｓ、を超える位置をシーンの変化位置として仮検出する。映像のビットレートは、単位再生時間（例えば１秒）毎に、その映像にかかるデータ量から得る構成であってもよいし、１ＧＯＰ（Ｇｒｏｕｐ  Ｏｆ  Ｐｉｃｔｕｒｅ）毎にその映像にかかるデータ量と、再生時間と、から得る構成であってもよい。映像のビットレートの検出は、上述したように映像データ処理部５において行われる。制御部２が、映像データ処理部５から通知されるビットレートに基づいて、シーンの変化位置を仮検出する。また、シーン変化位置を仮検出するとき、シーン飛ばしにかかる入力が行われたときのＤＶＤ１０の再生位置における映像のビットレートを基準にして、その差分の絶対値が予め定めた値、例えば５ｋｂｉｔ／ｓ、を超える位置をシーンの変化位置として仮検出してもよいし、時間的に連続する２つの領域（映像のビットレートを得た領域）での差分の絶対値が予め定めた値、例えば５ｋｂｉｔ／ｓ、を超える位置をシーンの変化位置として仮検出してもよい。
【００３３】
再生装置１は、ｓ２２でシーンの変化位置を仮検出すると、この仮検出したシーンの変化位置から再生方向に所定時間の間にブラックフレームが存在するかどうかを判定する（ｓ２３）。この所定の時間は、一般的なＣＭの時間よりも少し長い時間に設定している。具体的には、一般的なＣＭの時間が１５秒であることから、この所定時間を２０〜３０秒に設定している。上述したように、米国や欧州のテレビ放送では、番組本編の間に挿入されているＣＭとＣＭとの間や、ＣＭと番組本編との間にブラックフレームが数フレーム挿入されている。今回再生している番組が、ＣＭとＣＭとの間や、ＣＭと番組本編との間にブラックフレームが挿入されている番組であると、シーン飛ばしにかかる要求の入力があったときの再生位置によっては、ｓ２２において仮検出されたシーンの変化位置がブラックフレームや、ＣＭの開始位置になることがある。また、当然のことながら、番組本編におけるシーンの開始位置になることもある。通常、番組本編における１つのシーンは、数分〜十数分の長さである。ｓ２３では、今回仮検出されたシーンの変化位置が、ブラックフレームまたはＣＭの開始位置であるか、番組本編の開始位置であるかを判定している。
【００３４】
再生装置１は、ｓ２３で所定時間内にブラックフレームが存在していると判定すると、すなわち今回仮検出されたシーンの変化位置がブラックフレームまたはＣＭの開始位置であると判定すると、このブラックフレーム直後の映像を再度シーン変化位置として仮検出し（ｓ２４）、ｓ２３に戻る。再生装置１は、ｓ２３で所定時間内にブラックフレームが存在していないと判定するまで、すなわちシーンの開始位置がシーンの変化位置として仮検出されるまで、ｓ２３、ｓ２４の処理を繰り返す。再生装置１は、ｓ２３で仮検出されたシーンの変化位置から所定時間の間にブラックフレームが存在しないと判定すると、このシーンの変化位置を、今回シーン飛ばしの要求にかかる入力が行われたときの再生位置から再生方向に最も近い番組本編のシーンの開始位置として本検出する（ｓ２５）。
【００３５】
再生装置１は、ｓ２１で開始した早送り再生における再生位置が、ｓ２５で本検出したシーンの開始位置に達すると（ｓ２６）、この早送り再生を停止する（ｓ２７）。そして、通常の再生を開始し（ｓ２８）、本処理を終了する。再生装置１は、このシーン飛ばし処理を終了すると、上述したｓ２に戻る。
【００３６】
このように、この実施形態の再生装置１は、シーン飛ばしキーを操作するという簡単な操作で、現在再生中のシーンをスキップさせ、次のシーンの開始位置から視聴するシーン飛ばしが行える。したがって、シーン飛ばしにかかるユーザの使い勝手を十分に向上させられる。また、この実施形態の再生装置１は、番組本編の途中に挿入されているＣＭをスキップさせたいときにも、シーン飛ばしキーの操作で、ＣＭをスキップさせることができる。したがって、ユーザは、自分が現在再生中のシーンを飛ばしたいのか、ＣＭを飛ばしたいのかによって、装置本体に対する入力操作を変える必要がない。このため、ユーザの誤操作が抑えられ、ユーザの使い勝手を一層向上させることができる。
【００３７】
次に、ｓ９にかかるシーン戻し処理について説明する。図５は、このシーン戻し処理を示すフローチャートである。ユーザは、その時点で再生されているシーンやＣＭをもう一度最初から視聴したいときに、操作部９またはリモコン装置のシーン戻しキーを操作し、このシーン戻し処理を実行させる。再生装置１は、この時点における再生位置、すなわちシーン戻しにかかる要求の入力があったときの再生位置、において巻き戻し再生を開始する（ｓ３１）。この巻き戻し再生では、音声出力部８からの音声信号の出力を停止させる。また、映像のフレームを間引いて映像出力部６から出力することで、巻き戻し再生が行われている期間の映像を表示装置に表示させる。
【００３８】
再生装置１は、シーン戻しにかかる入力が行われたときのＤＶＤ１０の再生位置から、巻き戻し方向における映像のビットレートが予め定めた値よりも変化する位置をシーン変化位置として検出する（ｓ３２）。ｓ３２では、上述したシーン飛ばし処理のｓ２２と同様に、映像のビットレートの差分の絶対値が予め定めた値、例えば５ｋｂｉｔ／ｓ、を超える位置をシーンの変化位置として検出する。映像のビットレートの検出は、上述したように映像データ処理部５において行われる。制御部２が、映像データ処理部５から通知されるビットレートに基づいて、シーンの変化位置を検出する。また、このシーン戻し処理においても、シーン戻しにかかる入力が行われたときのＤＶＤ１０の再生位置における映像のビットレートを基準にして、その差分の絶対値が予め定めた値、例えば５ｋｂｉｔ／ｓ、を超える位置をシーンの変化位置として検出してもよいし、時間的に連続する２つの領域（映像のビットレートを得た領域）での差分の絶対値が予め定めた値、例えば５ｋｂｉｔ／ｓ、を超える位置をシーンの変化位置として検出してもよい。
【００３９】
ｓ３２で検出されるシーンの変化位置は、シーン飛ばしにかかる要求の入力があったときの再生位置によって、その時点で再生されていたシーンの開始位置となることもあれば、その時点で再生されていたＣＭの開始位置となることもある。再生装置１は、ｓ３１で開始した巻き戻し再生における再生位置が、ｓ３２で検出したシーンの開始位置に達すると（ｓ３３）、この巻き戻し再生を停止する（ｓ３４）。そして、通常の再生を開始し（ｓ３５）、本処理を終了する。再生装置１は、このシーン戻し処理を終了すると、上述したｓ２に戻る。
【００４０】
したがって、ユーザは、現在再生中のシーンをもう一度最初から視聴したいと思ったときや、現在再生しているＣＭの内容が気になって、もう一度視聴したいと思ったときに、操作部９やリモコン装置に設けられているシーン戻しキーを操作するだけで、現在再生中のシーンや、ＣＭを最初からもう一度視聴することができる。このように、この実施形態の再生装置１は、シーン戻しキーを操作するという簡単な操作で、現在再生中のシーンや、ＣＭを最初からもう一度視聴することができ、シーン戻しにかかるユーザの使い勝手も向上される。
【００４１】
なお、上記実施形態では、ＤＶＤ１０に録画されている番組を再生する再生装置を例にして本願発明を説明したが、ハードディスク等のＤＶＤ以外の記録媒体に録画されている番組を再生する再生装置についても本願発明を適用することができる。さらに、テレビ放送されている番組を録画する録画機能を有する録画／再生装置にも本願発明を適用することができる。
【図面の簡単な説明】
【００４２】
【図１】この発明の実施形態である再生装置の主要部の構成を示すブロック図である。
【図２】ＤＶＤに録画されている番組の録画データを示す図である。
【図３】この実施形態の再生装置における再生処理を示すフローチャートである。
【図４】この発明の実施形態である再生装置におけるシーン飛ばし処理を示すフローチャートである。
【図５】この発明の実施形態である再生装置におけるシーン戻し処理を示すフローチャートである。
【符号の説明】
【００４３】
１−再生装置
２−制御部
３−読取部
４−分離部
５−映像データ処理部
６−映像出力部
７−音声データ処理部
８−音声出力部
９−操作部
１０−ＤＶＤ
【図１】
0004501808.tif 000002
【図２】
0004501808.tif 000003
【図３】
0004501808.tif 000004
【図４】
0004501808.tif 000005
【図５】
0004501808.tif 000006